(57)【要約】【課題】育苗箱内の乾燥を防止するとともに、箱の下側の土の中に根が伸びることを防止し、苗が均一に育成されるようにした育苗用保水シートであって、さらに塩化ビニールシートのような公害の発生がない育苗用保水シートを提供する。【解決手段】育苗シート１を用いてその内部に育苗箱２を設置する育苗シート１であって、該育苗シート１の材質がＥＰＤＭ系のゴムであり、該育苗シート１の四隅部５を折り畳みコーナー部とし、前記育苗シート１の幅方向中央に中心線３を刻設した育苗シート１である。【選択図】図１
2008220309.tif 000002
【特許請求の範囲】
【請求項１】
育苗シートを用いてその内部に育苗箱を設置する育苗シートであって、該育苗シートの材質がＥＰＤＭ系のゴムであり、該育苗シートの四隅部を折り畳みコーナー部とし、前記育苗シートの幅方向中央に中心線を刻設したことを特徴とする育苗シート。
【請求項２】
育苗シートを用いてその内部に育苗箱を設置する育苗箱の設置方法であって、前記育苗シートの四隅部を折りたたみ、コーナー部とし、さらに該育苗シートの長手方向及び幅方向の端部を折り曲げ立ち上げると共に、支持手段で該育苗シートの端部を支えることで、該育苗シート中に育苗箱を囲うことを特徴とする育苗箱の設置方法。
【発明の詳細な説明】
【技術分野】
【０００１】
本発明は、育苗用保水シートに係り、特に育苗箱によって稲の苗を育成する際に用いて好適な育苗用保水シートに関する。
【背景技術】
【０００２】
農業の近代化によって、田植作業の自動化が進行しつつあり、機械による田植えが広く普及するようになっている。このような田植え機に適用される稲は、その生育量が均一なことが要求され、不揃いがあると良好な田植えが行われなくなる。即ち田植え機に用いられるためには、決められた面積内の苗の本数がほぼ一定であると共に、成長のばらつきがないことが好ましい。このような目的に対応して育苗箱による苗の育成が一般に行われるようになっている。
【０００３】
育苗箱によって稲の苗を育成する場合には、従来は第２図に示すように、土の上にまず根の伸張を阻止するプラスチックフィルム２１を敷設し、このプラスチックフィルム２１上に育苗箱２２を配置するようにしていた。育苗箱２２には、その底面に余剰の水を排除して水切りを行うための小孔からなる排水孔２３が設けられているために、この排水孔２３を通して土がこぼれないように底板の上面に新聞紙２４を敷くようにしていた。そして新聞紙２４の上に培土２５を入れ、そして培土２５の上に種もみ２６を播種していた。この種もみ２６の上には覆土２７が被せられるようになっていた。
【０００４】
このような従来の育苗箱２２による育苗の欠点は、予めプラスチックフィルム２１を土の上に敷かなければならないために手間がかかるばかりでなく、このシート２１によって育苗箱２２内と下側の地面とが遮断される為に、この育苗箱２２内が乾燥しやすくなることである。そして例えば灌水を１日遅らせたような場合には、この育苗箱２２内が著しく水不足になり、例えば覆土２７が乾燥してしまう。すると第３図に示すように、乾燥した覆土２７は発芽した苗２８によって持ち上げられ、種もみ２６が土２７から離れて苗２８が発育不良になるという問題があった。このような欠点は、育苗箱２２の底面に敷設された新聞紙２４が十分な保水性を有しておらず、水分を保持することができないからである。
【０００５】
上記育苗箱２２内の乾燥を防止し、第３図に示すような覆土２７の浮き上がりを防止するために、プラスチックフィルム２１を育苗箱２２の底面側に敷かないようにすると、第７図に示すように、根２９が新聞紙２４を突き破り、育苗箱２２の底面の小孔２３を通して箱２２の下側の土中に根を張ることになる。するとこの育苗箱２２から苗２８を剥ぎ取る作業が非常に面倒になり、或いは又予め根切り作業を行わなければならなくなる。又プラスチックフィルム２１を用いない場合には、育苗箱２２内において水分が均一に保持されないために、苗２８の生育に不揃いが生ずるという問題がある。
【０００６】
又、保水シートとしては、塩化ビニールシートが過去において主流を占めていた。然しながら、この塩化ビニールシートは廃棄時の燃焼処理において塩素ガスやダイオキシンが生じ、公害の大きな原因となるため最近では使用が禁止されている。それに代わるものとしてゴムシートが使用される。
【発明の開示】
【発明が解決しようとする課題】
【０００７】
本発明は、このような問題点に鑑みてなされたものであって、育苗箱内の乾燥を防止するとともに、箱の下側の土の中に根が伸びることを防止し、苗が均一に育成されるようにした育苗用保水シートであって、さらに、塩化ビニールシートのような公害の発生がない育苗用保水シートを提供する。
【課題を解決するための手段】
【０００８】
本発明は、育苗シートを用いてその内部に育苗箱を設置する育苗シートであって、該育苗シートの材質がＥＰＤＭ系のゴムであり、該育苗シートの四隅部を折り畳みコーナークリップとし、前記育苗シートの幅方向中央に中心線を刻設した育苗シートにある。
【０００９】
請求項２に記載の発明は、育苗シートを用いてその内部に育苗箱を設置する育苗箱の設置方法であって、前記育苗シートの４隅部を折りたたみコーナークリップとし、さらに、該育苗シートの長手方向及び幅方向の端部を折り曲げ立ち上げると共に、支持手段で該育苗シートの端部を支えることで、該育苗シート中に育苗箱を囲う育苗箱の設置方法にある。
【発明の効果】
【００１０】
本発明によると、育苗シートを用いてその内部に育苗箱を設置する育苗シートであって、該育苗シートの材質がＥＰＤＭ系のゴムであり、該育苗シートの四隅部を折り畳みコーナークリップとし、前記育苗シートの幅方向中央に中心線を刻設した育苗シートであることから、育苗箱内の乾燥を防止するとともに、箱の下側の土の中に根が伸びることを防止し、苗が均一に育成でき、公害の発生もないという効果がある。さらに、シート内で育苗箱を簡単に設置することができる。
【００１１】
請求項２に記載の発明によると、育苗シートを用いてその内部に育苗箱を設置する育苗箱の設置方法であって、前記育苗シートの四隅部を折りたたみコーナークリップとし、さらに、該育苗シートの長手方向及び幅方向の端部を折り曲げ立ち上げると共に、支持手段で該育苗シートの端部を支えることで、該育苗シート中に育苗箱を囲う育苗箱の設置方法であることから、育苗箱を育苗シート中に確実にかつ簡単に設置できる効果がある。
【発明を実施するための最良の形態】
【００１２】
図１は本発明の育苗シートを設置した実施形態を示す例である。育苗シート１の幅方向の中心に色線塗料等の特殊グラビアインキ等で中心線３を引き、前記育苗シート１の四隅部５を図のように折り曲げ、コーナー部とし、育苗シート１の長手辺７と短手辺９に壁部１１を設け、前記中心線３を境として複数個の育苗箱１３が前記育苗シート１の壁部１１内に収納できるように設置し、その後木製枕木、コンクリートブロック等の支持手段１３で前記壁部１１の外周を覆い、壁部１１が立設するようにする。
【００１３】
前記育苗シート１は、エチレン・プロピレン・ジエンモノマー（ＥＰＤＭ）を主成分とする０．８〜２．５ｍｍ厚み程度の加硫ゴムシートであり、ＥＰＤＭ以外にブチルゴム（ＩＩＲ）を配合したゴムでも良い。ブチルゴムを配合することによって、加工性が良くなるので製造面では好ましい。その配合比率としてはＥＰＤＭ：ＩＩＲが重量比で５０：５０〜１００：０の範囲とする。１００：０までというのはＥＰＤＭ単独のものも含めた比となっているからである。又、このＥＰＤＭ若しくはＥＰＤＭとブチルゴムとのブレンド物には、通常ゴムに配合されるカーボンブラックなどの充填剤、可塑剤、加硫剤、加硫助剤、粘着付与剤などの配合物を配合して用いることが可能である。
【実施例】
【００１４】
次に、本発明を実施例によって具体的に説明する。
（実施例）
育苗シートとしては、ＥＰＴ４０４５（三井化学社製）を用いて表１に示すような配合のゴム組成物を用いて１．０ｍｍのシートとし、連続加硫機を用いて加硫したものを用いた。そして、図１に示すように、前記シートを切断し、幅方向の中心に中心線を記入した。さらに四隅部を折り畳み、四つのコーナー部を有する長さ３，０００ｍｍ、幅１，２００ｍｍのゴムシートとし、又、長手方向、短手方向にはそれぞれ、壁部を設け、その内側に、中心線を境として育苗箱を設置した。さらに、前記シートの長手辺、短手辺の壁部にはそれぞれ外側から枕木を当接させて壁部を立設させて固定した。育苗シートに中心線が引かれていることで、育苗箱の設置は簡単に行うことができた。
【図面の簡単な説明】
【００１５】
【図１】本発明の育苗シートを設置した実施形態を示す斜視図である。
【図２】従来の育苗箱の縦断面図である。
【図３】従来の育苗箱で、覆土が盛り上がった状態の縦断面図である。
【図４】従来の育苗箱で、下側の土中に根が張り出した状態を示す育苗箱の縦断面図である。
【符号の説明】
【００１６】
１    育苗シート
３    中心線
５    四隅部
７    長手辺
９    短手辺
１１    壁部
１３    支持手段
【図１】
2008220309.tif 000003
【図２】
2008220309.tif 000004
【図３】
2008220309.tif 000005
【図４】
2008220309.tif 000006